(57)【要約】【課題】トナー像を担持する担持体や中間転写体の表面に付着する紙粉を確実に取り除いて常時良好な転写性能が得られる画像形成装置の提供を目的としている。【解決手段】本発明の一実施形態に係る画像形成装置は、原稿画像に対応した静電潜像がその表面に形成される像担持体４０２と、像担持体４０２の表面に形成された静電潜像にトナーを供給して静電潜像を可視化することにより、像担持体４０２上にトナー像を形成する現像手段と、像担持体４０２上のトナー像が転写される中間転写体４２６と、中間転写体４２６に転写されたトナー像を、中間転写体４２６と接触する転写材へ電気的に転写する転写手段４５４と、転写手段４５４による転写後に中間転写体４２６に残留するトナーを除去するクリーニング手段７００と、転写材から発生して中間転写体４２６に付着した紙粉を少なくとも除去する紙粉除去手段６００とを具備している。【選択図】図４
2006184930.tif 000002
【特許請求の範囲】
【請求項１】
原稿画像に対応した静電潜像がその表面に形成される像担持体と、
像担持体の表面に形成された静電潜像にトナーを供給して静電潜像を可視化することにより、像担持体上にトナー像を形成する現像手段と、
像担持体上のトナー像を、像担持体と接触する転写材へ電気的に転写する転写手段と、
転写手段による転写後に像担持体上に残留するトナーを除去するクリーニング手段と、
転写材から発生して像担持体に付着した紙粉を少なくとも除去する紙粉除去手段と、
を具備することを特徴とする画像形成装置。
【請求項２】
原稿画像に対応した静電潜像がその表面に形成される像担持体と、
像担持体の表面に形成された静電潜像にトナーを供給して静電潜像を可視化することにより、像担持体上にトナー像を形成する現像手段と、
像担持体上のトナー像が転写される中間転写体と、
中間転写体に転写されたトナー像を、中間転写体と接触する転写材へ電気的に転写する転写手段と、
転写手段による転写後に中間転写体に残留するトナーを除去するクリーニング手段と、
転写材から発生して中間転写体に付着した紙粉を少なくとも除去する紙粉除去手段と、
を具備することを特徴とする画像形成装置。
【請求項３】
前記紙粉除去手段は、
像担持体もしくは中間転写体と接触可能かつ回転可能に配置され、所定の電気的抵抗を有する繊維から成るブラシと、
電気的に浮いた状態でブラシに接触するフリッカ部材と、
から成ることを特徴とする請求項１または請求項２に記載の画像形成装置。
【請求項４】
紙粉除去手段にバイアス電圧を印加させる手段を具備していることを特徴とする第１項乃至第３項のいずれか１項に記載の画像形成装置。
【請求項５】
前記紙粉除去手段は、像担持体もしくは中間転写体上に残留する電位を除電する除電手段としての機能を兼用していることを特徴とする第１項乃至第４項のいずれか１項に記載の画像形成装置。
【請求項６】
前記紙粉除去手段は、クリーニング手段による像担持体もしくは中間転写体のクリーニングの前に、像担持体もしくは中間転写体に残留する紙粉を少なくとも除去することを特徴とする第１項乃至第５項のいずれか１項に記載の画像形成装置。
【請求項７】
前記紙粉除去手段は、クリーニング手段による像担持体もしくは中間転写体のクリーニングの後に、像担持体もしくは中間転写体に残留する紙粉を少なくとも除去することを特徴とする第１項乃至第５項のいずれか１項に記載の画像形成装置。
【請求項８】
前記紙粉除去手段がクリーニング手段の両側にそれぞれ配置され、クリーニング手段の各側に配置された紙粉除去手段は共に同極性のバイアス電圧が印加されることを特徴とする第１項乃至第５項のいずれか１項に記載の画像形成装置。
【請求項９】
前記紙粉除去手段がクリーニング手段の両側にそれぞれ配置され、クリーニング手段の各側に配置された紙粉除去手段は互いに逆極性のバイアス電圧が印加されることを特徴とする第１項乃至第５項のいずれか１項に記載の画像形成装置。
【発明の詳細な説明】
【技術分野】
【０００１】
本発明は、複写機、プリンタ、ファクシミリ等の電子写真方式を用いた画像形成装置に関する。
【背景技術】
【０００２】
従来、静電写真プロセスが利用されている画像形成装置では、原稿の画像を照明して得られる原稿からの反射光により、予め所定の極性に帯電された像担持体（例えば感光体ドラム）の表面に静電潜像が形成される。像担持体の表面上に形成された静電潜像は、帯電した微粉体であるトナーにより現像されて可視化される。その後、このトナー像は、像担持体の回転によって転写部へと達し、転写部に搬送されてきた転写材（記録紙）に転写される。
【０００３】
ところで、この種の画像形成装置の中には、カラーコピーを実現するために、複数色のトナー像が像担持体から順次に転写される中間転写体を備えたものがある。このような画像形成装置では、像担持体から複数色のトナー像が順次に中間転写体に転写されて重ね合わされ、その後、中間転写体の重ねトナー像が、中間転写体の回転によって転写部へと達し、転写部に搬送されてきた転写材に一括転写される。
【０００４】
転写材にトナー像が転写された後、像担持体や中間転写体は、その表面がクリーニング装置によってクリーニングされ、その表面に残留するトナーが除去される。このように、像担持体や中間転写体の表面をクリーニングする方式としては、従来、ウレタンゴムのエッジを像担持体や中間転写体の表面に圧接させてトナーを掻き落とすブレードクリーニング方式が知られている（特開平６−２９５１１１号公報、特開平５−３０３３１０号公報等参照）。この方式は、機械的に簡単で且つ安価に実現できるため、一般に広く利用されている。
【０００５】
【特許文献１】特開平６−２９５１１１号公報。
【特許文献２】特開平５−３０３３１０号公報。
【発明の開示】
【発明が解決しようとする課題】
【０００６】
しかし、前記ブレードクリーニング方式では、以下のような不具合が発生する。すなわち、例えば中間転写体を例にとって説明すると、中間転写体から転写材にトナー像が転写された後、中間転写体の表面には、転写されずに残ったトナーと転写紙から発生した紙粉（紙繊維）とが付着している。この場合、中間転写体の表面に残ったトナーは、球形に近い形状を成しているため、その後、クリーニングブレードによって中間転写体の表面から比較的容易に掻き落とされる。しかし、紙繊維としての紙粉は、棒状を成しているため、クリーニングブレードのエッジに引掛かった状態で付着してしまう。こうした状態は、コピーを重ねる毎に進行し、結果的にクリーニングブレードのエッジに多量の紙粉が付着することとなる。
【０００７】
クリーニングブレードのエッジに紙粉が多量に付着すると、クリーニングブレードのエッジと接触する中間転写体の表面には、紙粉による無数の細かい傷等が生じる。したがって、転写材に転写される画像は、この傷等に起因する無数の縦筋を有する異常画像となる。
【０００８】
また、クリーニングブレードのエッジに付着した紙粉は、時として、エッジから脱落して、中間転写体の表面に再度付着する。その結果、紙粉付着による転写不良が生じる。
【０００９】
無論、これらの問題は、トナー像を像担持体から中間転写体を介すことなく直接に転写材に転写する場合にも同様に生じ得る。
【００１０】
本発明は上記事情に着目してなされたものであり、その目的とするところは、トナー像を担持する担持体や中間転写体の表面に付着する紙粉を確実に取り除いて常時良好な転写性能が得られる画像形成装置を提供することにある。
【課題を解決するための手段】
【００１１】
前記課題を解決するために、請求項１に記載の発明は、原稿画像に対応した静電潜像がその表面に形成される像担持体と、像担持体の表面に形成された静電潜像にトナーを供給して静電潜像を可視化することにより、像担持体上にトナー像を形成する現像手段と、像担持体上のトナー像を、像担持体と接触する転写材へ電気的に転写する転写手段と、転写手段による転写後に像担持体上に残留するトナーを除去するクリーニング手段と、転写材から発生して像担持体に付着した紙粉を少なくとも除去する紙粉除去手段とを具備している。
【００１２】
この請求項１に記載の発明では、紙粉除去手段によって、像担持体上に残留付着している紙粉等が除去されるため、紙粉による縦スジの異常画像やクリーニング不良が防止され、画質の向上を図ることができる。
【００１３】
請求項２に記載の発明は、原稿画像に対応した静電潜像がその表面に形成される像担持体と、像担持体の表面に形成された静電潜像にトナーを供給して静電潜像を可視化することにより、像担持体上にトナー像を形成する現像手段と、像担持体上のトナー像が転写される中間転写体と、中間転写体に転写されたトナー像を、中間転写体と接触する転写材へ電気的に転写する転写手段と、転写手段による転写後に中間転写体に残留するトナーを除去するクリーニング手段と、転写材から発生して中間転写体に付着した紙粉を少なくとも除去する紙粉除去手段とを具備している。
【００１４】
この請求項２に記載の発明では、紙粉除去手段によって、中間転写体上に残留付着している紙粉等が除去されるため、紙粉による縦スジの異常画像やクリーニング不良が防止され、画質の向上を図ることができる。
【００１５】
請求項３に記載の発明は、請求項１または請求項２に記載の発明において、前記紙粉除去手段が、像担持体もしくは中間転写体と接触可能かつ回転可能に配置され、所定の電気的抵抗を有する繊維から成るブラシと、電気的に浮いた状態でブラシに接触するフリッカ部材とから成る。
【００１６】
この請求項３に記載の発明では、簡単かつ軽量な構成で、像担持体もしくは中間転写体上に残留付着している紙粉等が除去される。特に、ブラシに付着した紙粉はフリッカ部材によって掻き落とされる。
【００１７】
請求項４に記載の発明は、請求項１乃至請求項３のいずれか１項に記載の画像形成装置において、紙粉除去手段にバイアス電圧を印加させる手段を具備している。
【００１８】
この請求項４に記載の発明では、簡単かつ軽量な構成で、像担持体もしくは中間転写体に残留付着している紙粉等が静電的に容易に除去される。
【００１９】
請求項５に記載の発明は、請求項１乃至請求項４のいずれか１項に記載の画像形成装置において、前記紙粉除去手段が像担持体もしくは中間転写体上に残留する電位を除電する除電手段としての機能を兼用している。
【００２０】
この請求項５に記載の発明では、別個に除電手段を設けないでも、像担持体もしくは中間転写体上に残留する電位が除電される。したがって、省スペース化、部品数の低減、構成の簡易化を図ることができる。
【００２１】
請求項６に記載の発明は、請求項１乃至請求項５のいずれか１項に記載の画像形成装置において、前記紙粉除去手段が、クリーニング手段による像担持体もしくは中間転写体のクリーニングの前に、像担持体もしくは中間転写体に残留する紙粉を少なくとも除去する。
【００２２】
この請求項６に記載の発明では、紙粉除去手段によって、紙粉だけでなく転写残トナーも同時に除去される。したがって、クリーニング手段でのクリーニングの負担が大幅に軽減される。
【００２３】
請求項７に記載の発明は、請求項１乃至請求項５のいずれか１項に記載の画像形成装置において、前記紙粉除去手段が、クリーニング手段による像担持体もしくは中間転写体のクリーニングの後に、像担持体もしくは中間転写体に残留する紙粉を少なくとも除去する。
【００２４】
この請求項７に記載の発明では、紙粉に限らず、クリーニング手段でクリーニングしきれなかった転写残トナーも除去される。したがって、クリーニング不良を完全に防止できる。
【００２５】
請求項８に記載の発明は、請求項１乃至請求項５のいずれか１項に記載の画像形成装置において、前記紙粉除去手段がクリーニング手段の両側にそれぞれ配置され、クリーニング手段の各側に配置された紙粉除去手段は共に同極性のバイアス電圧が印加される。
【００２６】
この請求項８に記載の発明では、より一層効果的に紙粉等が除去され、また、クリーニング不良も完全に防止される。
【００２７】
請求項９に記載の発明は、請求項１乃至請求項５のいずれか１項に記載の画像形成装置において、前記紙粉除去手段がクリーニング手段の両側にそれぞれ配置され、クリーニング手段の各側に配置された紙粉除去手段は互いに逆極性のバイアス電圧が印加される。
【００２８】
この請求項９に記載の発明では、紙粉を除去することだけにとどまらず、像担持体や中間転写体の表面が電気的にかつ強制的に中和されてリフレッシュされる。その結果、次のトナー像の転写（ベルト転写）が良好に行なわれ、常に良好な画質が得られる。
【発明の効果】
【００２９】
請求項１に記載の発明によれば、紙粉除去手段によって、像担持体上に残留付着している紙粉等を除去できるため、紙粉による縦スジの異常画像やクリーニング不良が防止され、画質の向上を図ることができる。
【００３０】
請求項２に記載の発明によれば、紙粉除去手段によって、中間転写体上に残留付着している紙粉等を除去できるため、紙粉による縦スジの異常画像やクリーニング不良が防止され、画質の向上を図ることができる。
【００３１】
請求項３に記載の発明によれば、簡単かつ軽量な構成で、像担持体もしくは中間転写体上に残留付着している紙粉等を除去できる。特に、ブラシに付着した紙粉をフリッカ部材によって掻き落とすことができる。
【００３２】
請求項４に記載の発明によれば、簡単かつ軽量な構成で、像担持体もしくは中間転写体に残留付着している紙粉等を静電的に容易に除去することができる。
【００３３】
請求項５に記載の発明によれば、別個に除電手段を設けないでも、像担持体もしくは中間転写体上に残留する電位を除電できる。したがって、省スペース化、部品数の低減、構成の簡易化を図ることができる。
【００３４】
請求項６に記載の発明によれば、紙粉除去手段によって、紙粉だけでなく転写残トナーも同時に除去することができる。したがって、クリーニング手段でのクリーニングの負担を大幅に軽減できる。
【００３５】
請求項７に記載の発明によれば、紙粉に限らず、クリーニング手段でクリーニングしきれなかった転写残トナーも除去することができる。したがって、クリーニング不良を完全に防止できる。
【００３６】
請求項８に記載の発明によれば、より一層効果的に紙粉等を除去でき、また、クリーニング不良も完全に防止できる。
【００３７】
請求項９に記載の発明によれば、紙粉を除去できるだけでなく、像担持体や中間転写体の表面を電気的にかつ強制的に中和してリフレッシュできる。したがって、次のトナー像の転写（ベルト転写）が良好に行なわれ、常に良好な画質を得ることができる。
【発明を実施するための最良の形態】
【００３８】
以下、図面を参照しながら本発明の実施形態について説明する。
【００３９】
図１および図２は、本発明の実施に適する画像形成装置１００の基本構成を示している。図示のように、画像形成装置１００は、中間転写体としての中間転写ベルト４２６を備えるカラー用の静電画像形成装置であり、原稿画像を色分解して読み取って電気的な信号であるカラー画像データに変換するカラースキャナ２００と、露光手段としての書き込み光学ユニット４００とを有している。
【００４０】
書き込み光学ユニット４００は、レーザ発光手段（レーザダイオード）４０４と、レーザ発光手段４０４の発光を制御する発光駆動制御部（図示せず）と、ポリゴンミラー４０６と、ポリゴンミラー４０６の回転用モータ４０８と、ｆ／θレンズ４１０と、反射ミラー４１２とから主に構成されている。そして、書き込み光学ユニット４００は、この構成によって、カラースキャナ２００からのカラー画像データを光信号に変換して、原稿画像に対応した光書き込みを行ない、像担持体である感光体４０２の表面上に静電潜像を形成する。
【００４１】
感光体４０２は例えば図中矢印で示すように反時計回り回転する。感光体４０２の周囲には、感光体クリーニングユニット４１４と、除電ランプ４１６と、帯電器４１８と、電位センサ４２０と、現像手段としての回転式現像装置４２２の選択された現像器（図１の例では、シアン用現像器４３０の現像スリーブ４３８）と、現像濃度パターン検知器４２４と、中間転写体としての中間転写ベルト４２６とが配置されている。
【００４２】
回転式現像装置４２２は、ブラック用現像器４２８と、シアン用現像器４３０と、マゼンタ用現像器４３２と、イエロー用現像器４３４と、各現像器を回転させる図示しない回転駆動部とから構成されている。各現像器は、静電潜像を可視化するために現像剤の穂を感光体４０２の表面に接触させて回転する現像スリーブと、現像剤を汲み上げて撹拌するために回転する現像パドルとから主に構成されている。
【００４３】
中間転写ベルト４２６は、駆動ローラ４４４と、転写対向ローラ４４６ａ，４４６ｂと、クリーニング対向ローラ４４８と、従動ローラ群とに張架されており、図示しない駆動モータによって駆動制御されるようになっている。中間転写ベルト４２６としては、体積抵抗率１×１０8〜１０12Ω・ｃｍ、表面抵抗率１×１０8〜１０11Ω（ＪＩＳＫ６９１１）の中抵抗ベルトが使用され、具体的には、エチレンテトラフロロエチレン（ＥＴＦＥ）やエピクロルヒドリンゴムなどを素材としたベルト部材が使用される。無論、ベルト状でなく、ドラム状であっても良い。
【００４４】
次に、上記構成の画像形成装置１００の動作について説明する。
【００４５】
回転式現像装置４２２は、その待機状態で、ブラック用現像器４２８が感光体４０２と対向するブラック現像の位置にセットされている。したがって、コピー動作が開始されると、所定のタイミングからカラースキャナ２００でブラック画像のデータの読み取りがスタートし、この画像データに基づいて、後述するようにレーザ光による光書き込み・潜像形成が開始される。なお、以下、ブラック画像データによる静電潜像をブラック潜像と称する。また、シアン、マゼンタ、イエローについても同様である。
【００４６】
まず最初に行なわれるブラック像形成では、帯電手段としての帯電器４１８のコロナ放電によって感光体４０２が負電荷で約−７００Ｖに一様に帯電される（帯電工程）。続いて、ブラック信号に基づくレーザダイオード４０４によるラスタ露光が行なわれる（露光工程）。このようにラスタ露光が行なわれると、当初一様に荷電されていた感光体４０２は、その露光された部分が露光光量に比例して電荷を消失する。これにより、感光体４０２の表面上にブラック潜像が形成される。
【００４７】
一方、現像装置４２２内のトナーは、フェライトキャリアとの撹拌によって負極性に帯電されている。また、現像装置４２２のブラック現像スリーブ４３８には、図示しない電源手段によって、感光体４０２の金属基体層に対して負の直流電位と交流電位とが重畳された電位のバイアスが印加されている。したがって、電荷が残っている感光体４０２の部分にはブラックトナーが付着せず、露光されて電荷が消失した感光体４０２の部分にはブラックトナーが吸着される。これによって、ブラック潜像と相似なブラック可視像（ブラックトナー像）が感光体４０２の表面上に形成される（現像工程）。
【００４８】
なお、感光体４０２の表面上に形成されたブラック潜像の先端部から現像するため、感光体４０２上のブラック潜像の先端部がブラック用現像器４２８の現像位置に到着する前に、ブラック用現像器４２８の現像スリーブの回転が開始され、感光体４０２上のブラック潜像がブラックトナーで現像される。そして、以後、感光体４０２上のブラック潜像領域の現像動作が続けられるが、感光体４０２上のブラック潜像の後端部がブラック用現像器４２８の現像位置を通過した時点で、速やかにブラックのための現像位置から次の色現像位置まで回転式現像装置４２２が回転される。この動作は、少なくとも、次の画像データによる潜像（本実施形態では後述するようにシアン潜像）の先端部が到達する前に完了する。
【００４９】
感光体４０２上に形成されたブラックトナー像は、一次転写手段としてのベルトコロナ放電器４５０によって、感光体４０２と接触状態で等速駆動している中間転写ベルト４２６の表面に転写される（一次転写工程）。この場合のベルトコロナ放電器４５０の放電効率（分配比）は２０〜４０％程度である。なお、以下、感光体４０２から中間転写ベルト４２６へのトナー像の転写を一次転写と称する。  感光体４０２の表面上に存在する若干の未転写残留トナーは、感光体４０２の次色の再利用に備え、ゴムブレードからなる感光体クリーニングユニット４１４で清掃される。ここで回収されたトナーは、回収パイプを経由した図示しない廃トナータンクに蓄えられる。また、残留トナーが除去された感光体４０２は、その後、表面の残留電位が除電ランプ４１６によって均一に除電され、次のシアン像形成に利用される。すなわち、所定のタイミングからカラースキャナ２００によるシアン画像のデータの読み取りが始まり、その画像データによるレーザ光書き込みで、感光体４０２の表面上にシアン潜像が形成される。そして、この場合も、感光体４０２の表面上に形成されたシアン潜像の先端部から現像するため、先のブラック潜像の後端部が現像位置を通過した後であって且つ感光体４０２上のシアン潜像の先端部が現像位置に到着する前に、回転式現像装置４２２が回転されてシアン用現像器４３０が感光体４０２と対向されるとともにシアン用現像器４３０の現像スリーブの回転が開始され、感光体４０２上のシアン潜像がシアントナーで現像される。そして、以後、感光体４０２上のシアン潜像領域の現像動作が続けられるが、感光体４０２上のシアン潜像の後端部がシアン用現像器４３０の現像位置を通過した時点で、速やかにシアンのための現像位置から次の色現像位置まで回転式現像装置４２２が回転される。この動作もやはり、次の画像データによる潜像（本実施形態では後述するようにマゼンタ潜像）の先端部が到達する前に完了する。
【００５０】
そして、感光体４０２上に形成されたシアントナー像は、ベルトコロナ放電器４５０によって、感光体４０２と接触状態で等速駆動している中間転写ベルト４２６の表面に、既に転写されているブラックトナー像に重ね合わせて転写される。
【００５１】
なお、以後に行なわれるマゼンタ像形成およびイエロー像形成については、それぞれの画像データの読み取り・潜像形成・現像の動作が前述のブラック像形成およびシアン像形成と同じであるため、その説明を省略する。
【００５２】
以上のようにして、感光体４０２に順次形成されるブラック、シアン、マゼンタ、イエローの各トナー像は、図示しない駆動モータによって感光体４０２が図中矢印で示すように反時計回りに回転するとともに中間転写ベルト４２６が時計回りに回転することによって、中間転写ベルト４２６の表面に順次重ね合わせて転写される。すなわち、中間転写ベルト４２６上には、感光体４０２に順次形成されるブラック、シアン、マゼンタ、イエローの各トナー像が正確に順次位置合わせされることにより、４色重ねのベルト転写画像が形成される。そして、この４色重ねのベルト転写画像は、その後、二次転写手段としての転写コロナ放電器４５４によって、転写材としての記録紙に一括転写される（二次転写工程）。この場合、転写コロナ放電器４５４は、コロナ放電方式にてＤＣまたはＡＣ＋ＤＣ成分を印加して、中間転写ベルト４２６上の重なりトナー像を記録紙上に転写する。この時の分配比はベルトコロナ放電器４５０と同様に２０〜４０％程度である。
【００５３】
記録紙に重ねトナー像が転写された後、中間転写ベルト４２６は、ブレード接離機構のクリーニング装置４５２により、その表面がクリーニングされる。この場合、クリーニング装置４５２は、そのブレードを中間転写ベルト４２６の表面に押圧することにより、中間転写ベルト４２６上の残留トナー等を除去する。
【００５４】
なお、中間転写ベルト４２６上に重ねトナー像を形成するに際し、画像先端位置を合わせるのに必要な時間を短縮するため、中間転写ベルト４２６の支持ローラを移動させて、図２に破線で示すように中間転写ベルト４２６を感光体４０２から離間させるとともに、この離間した状態で、中間転写ベルト４２６を早送りすることが行なわれる。
【００５５】
ところで、給紙バンク４５６内の各記録紙カセット４５８，４６０，４６２には、装置本体内のカセット４６４に収容された記録紙のサイズとは異なる各種サイズの記録紙が収容されている。そして、これら各種サイズの記録紙のうち指定（選択）されたサイズの記録紙が、対応する収容カセットから、給紙コロ４６６によってレジストローラ４７０の方向に給紙・搬送される。なお、図中４６８はＯＨＰ用紙や厚紙等のための手差し給紙トレイである。
【００５６】
像形成が開始される時期に、記録紙は、いずれかのカセット４５８，４６０，４６２，４６４の給紙口から給送され、レジストローラ対４７０のニップ部で待機する。そして、コロナ放電器４５４に中間転写ベルト４２６上の重ねトナー像の先端がさしかかる時に、丁度、記録紙の先端がこの重ね像の先端に一致する如く、レジストローラ対４７０が駆動され、紙と像のレジスト合わせが行なわれる。このようにして、記録紙が中間転写ベルト４２６と重ねられて、正電位につながれたコロナ放電器４５４の上を通過する。この時、コロナ放電電流で記録紙が正電荷で荷電され、４色重ねトナー画像の実質的部分が記録紙上に転写される。続いて、記録紙がコロナ放電器４５４の図中左側に配置された図示しない除電ブラシの箇所を通過する時に、記録紙は、除電されて、中間転写ベルト４２６から剥離され、紙搬送ベルト４７２に移る。
【００５７】
その後、中間転写ベルト４２６から４色重ねトナー像を一括転写された記録紙は、紙搬送ベルト４７２によって定着器４７４に搬送される。この定着器４７４では、所定温度にコントロールされた定着ローラ４７６と加圧ローラ４７８とのニップ部でトナー像が記録紙上に融解定着される。そして、トナー像が定着された記録紙は、排出ローラ対４８０を介して、装置の外部に送り出され、図示しないコピートレイに表向きにスタックされる。これによって、フルカラーコピーを得ることができる。
【００５８】
また、引き続き２枚目の原稿のコピーが行なわれる場合（リピートコピーの時）には、２枚目の原稿に対応するカラースキャナ２００の動作および感光体４０２への画像形成が、前述した１枚目の原稿の４色目の画像形成に引き続いて行なわれる。すなわち、所定のタイミングで２枚目の原稿の１色目の画像形成が開始される。また、この場合、中間転写ベルト４２６側では、１枚目の原稿の４色重ね画像が転写紙へ一括転写された後に、クリーニング装置４５２でクリーニングされた中間転写ベルト４２６の表面領域に２枚目の原稿のブラックトナー像が一次転写される。その後は、前述したと同様に１枚目の原稿と同じ動作が繰り返される。
【００５９】
以上の説明は、Ａ４サイズ横送りの４色フルカラーを得るコピーモードの場合であるが、３色コピーモードや２色コピーモードの場合には、指定された色と回数の分に関して、前述したと同様の動作が行なわれることとなる。また、単色コピーモードの場合には、所定枚数が終了するまでの間、回転式現像装置４２２の所定色の現像器のみが現像作動状態にセットされ、すなわち、所定色の現像器が現像位置にセットされ、クリーニング装置４５２のブレードを中間転写ベルト４２６に押圧したままの状態で、連続的にコピー動作が行なわれる。
【００６０】
なお、図１の画像形成装置１００で、最長サイズであるＡ３サイズのフルカラーコピーを行なう場合、中間転写ベルト４２６が１周する毎に１色作像され、中間転写ベルト４２６が４回転した時点で４色の作像が完了するのがそのサイズのカラーコピーとしては効率的であるが、中間転写ベルト４２６の周長をできる限り最大サイズに合わせて短くすると、最大サイズのコピー作動においては、スキャナリターンする時間がなくなる等の問題がある。一方、Ａ３サイズのような使用頻度の低い最大サイズでのコピー動作を想定して中間転写ベルト４２６を寸法取りすると、このサイズより小さく使用頻度の高いＡ４やＢ５のサイズのコピー時に、作像に寄与しない無駄時間が増えるといった問題がある。
【００６１】
そこで、図１の画像形成装置１００では、Ａ３サイズのコピーが行なわれる場合、中間転写ベルト４２６が２周する間に１色作像が行なわれるようになっている。すなわち、ブラックトナー像が中間転写ベルト４２６に転写された後、次の１周では現像・転写が行なわれずに空回転し、その次の１周で現像および一次転写が行なわれる。このように空回転を行なわしめれば、中間転写ベルト４２６の周長を抑えて所定のコピースピードで小サイズコピーを行なうことができる。また、中間転写ベルト４２６の周長に近いサイズのコピーを行なう場合には、各色の一次転写が行なわれる度毎に中間転写ベルト４２６を空回転させ、その間にスキャナリターン等の動作を行なわしめることができるため、プリント可能最大サイズが小さくならないで済む。
【００６２】
以上説明してきたように、中間転写体としての中間転写ベルト４２６を備える図１のカラー用静電画像形成装置１００では、ウレタンゴム等からなるクリーニングブレードのエッジを像担持体としての感光体４０２や中間転写ベルト４２６の表面に圧接させることにより、感光体４０２および中間転写ベルト４２６の表面がクリーニングされる。また、中間転写ベルト４２６が記録紙と接触され、中間転写ベルト４２６の表面に記録紙から発生した紙粉（紙繊維）が付着する。したがって、特にこのような装置１００の場合には、前述したように、中間転写ベルト４２６の表面上の紙粉（紙繊維）がクリーニング装置４５２のクリーニングブレード７００のエッジに引掛かった状態で付着し、縦筋を有する異常画像を誘発したり、転写不良を引き起こしたりする。
【００６３】
また、中間転写ベルト４２６を備える図１の静電画像形成装置１００では、カラーコピー時に、中間転写ベルト４２６の表面にトナー像が重ね転写されるため、中間転写ベルト４２６がトナー像を担持したままコロナ放電器４５４部を通過することとなり、遊離トナーがコロナ放電器４５４の放電ワイヤに付着しやすい状況となっている。特に、Ａ３サイズのフルカラーコピーを行なう場合、中間転写ベルト４２６が２周する間に１色作像が行なわれるようになっているため、コロナ放電器４５４の部位を中間転写ベルト４２６上のトナー像が６回も通過することとなり、遊離トナーが放電ワイヤに付着する頻度が増すこととなる。
【００６４】
そこで、以下では、このような不具合を解消して常時良好な転写性能を得るために中間転写ベルト４２６上の紙粉を取り除く紙粉除去手段、すなわち本発明の要部について説明することとする。
【００６５】
図３は本発明の要部である紙粉除去手段の第１の実施形態を示している。図示のように、この紙粉除去手段はブラシローラ６００として形成されている。ブラシローラ６００は、導電性の支持部材（芯金）６０１と、この支持部材６０１の周囲に植設（支持）された中抵抗の繊維から成るブラシ６０２とによって構成されている。また、ブラシローラ６００は、中間転写ベルト４２６に対して接離自在で且つ回転可能に支持されている。すなわち、ブラシローラ６００は、例えば図示しないソレノイド等の駆動手段によって、図中破線で示す接触位置と図中実線で示す離隔位置との間で変位駆動されるようになっている。
【００６６】
なお、ブラシ６０２の材料としては、絶縁性材料中に導電性微粒子等を分散させた１０5〜１０8Ω・ｃｍの抵抗率を持つものが望ましい。具体的には、中抵抗のブラシローラ６００の場合、例えば炭素含有アクリル繊維（商品名ＳＡ−７東レ株式会社製）のループブラシを使用することができる。この場合、ループブラシの寸法等は、例えば３６０Ｄ／２４Ｆ，６００ループ／インチ2、毛足長さ４．５ｍｍに設定され、また、ブラシローラ６００は、例えば外径が１８ｍｍ、支持部材（芯金）６０１の外径が９ｍｍに設定される。
【００６７】
また、ブラシローラ６００は、中抵抗のブラシ６０２に喰い込むように配置されたフリッカ部材６０３を有している。このフリッカ部材６０３は、ブラシ６０２に付着した紙粉等を払い落とすことができるように構成されている。なお、フリッカ部材６０３は、ブラシ６０２との摩擦帯電や電荷のリークを防止するため、ブラシ６０２と同一の材質によって形成されていることが望ましい。また、フリッカ部材６０３は電気的に浮いた状態（フロート状態）となっている。これは、フリッカ部材６０３が中抵抗であるため、これを接地するとリークする虞があるためである。また、ブラシローラ６００には、これにバイアス電圧を印加させる手段６０４が設けられている。
【００６８】
このような構成のブラシローラ６００は、中間転写ベルト４２６との接触状態において、そのブラシ接触ニップ幅が例えば９ｍｍとなるように配置設定される。すなわち、ブラシ接触ニップ幅が９ｍｍとなる食い込み量でブラシ６０２が中間転写ベルト４２６に接触される。実際に、このような設定で実験を行なったところ、中間転写ベルト４２６上の紙粉がブラシローラ６００によって完全に除去され、縦筋のない良好な画質を得ることができた。特に、電圧印加手段６０４によってブラシローラ６００に２００Ｖの直流高圧を印加させたところ、中間転写ベルト４２６上に残留付着していた紙粉が静電的に容易に除去された。
【００６９】
また、このような構成のブラシローラ６００は、中間転写ベルト４２６上に残留付着している紙粉等を取り除く紙粉除去手段としてだけではなく、中間転写ベルト４２６の表面に残留している電位を除電する除電手段としても機能する。実際に、表面抵抗率５×１０9Ω、体積抵抗率１×１０11Ω・ｃｍ（ＪＩＳＫ６９１１）の中抵抗ベルト（具体的には、エチレンテトラフロロエチレン（ＥＴＦＥ）のシームレスベルト）を中間転写ベルト４２６として使用し、ブラシローラ６００を中間転写ベルト４２６に９ｍｍのニップ幅で喰い込ませて回転させたところ、中間転写ベルト４２６の表面の残留電位を除去することができた。中間転写ベルト４２６は、図２に示すように、接地されている各支持部材に張架されており、これらの支持部材を介して自己放電するが、例えば中間転写ベルト４２６に印加された電圧あるいは電流や環境条件等々により完全には自己放電しきれない。そのため、本構成のように、除電手段としても機能するブラシローラ６００を設ければ、別個に除電手段を設けることなく、中間転写ベルト４２６の表面の残留電位を完全に除去することができる。これにより、省スペース化・部品の低減・簡略化を図ることができる。
【００７０】
図４は、上記構成のブラシローラ６００が、中間転写ベルト４２６のクリーニング手段であるクリーニングブレード７００よりも、中間転写ベルト４２６の移動方向（回転方向）の上流側（転写ローラ４４６ｂとクリーニングブレード７００との間）に設けられた状態を示している（図ではクリーニング装置４５２に付設されている）。この状態で、電圧印加手段６０４によりブラシローラ６００に２００Ｖの直流高圧を印加させたところ、紙粉だけにとどまらず、転写残トナーも同時に静電的に引きつけられて中間転写ベルト４２６から除去され、下流側に位置するクリーニングブレード７００でのクリーニングの負担が大幅に軽減された。
【００７１】
なお、上記構成のブラシローラ６００は、クリーニングブレード７００よりも、中間転写ベルト４２６の移動方向（回転方向）の下流側（ベルトコロナ放電器４５０とクリーニングブレード７００との間）に設けられていても良い。実際にこの設定で、ブラシローラ６００に例えば２００Ｖの直流高圧を印加したところ、紙粉だけでなく、クリーニングブレード７００で除去しきれなかったマイナスに帯電している転写残トナーも、中間転写ベルト４２６から除去された。一般に、中間転写ベルト４２６上に残留する転写残トナーの帯電量が高いと、中間転写ベルト４２６に対する残留トナーの付着力が強くなり、クリーニングブレード７００だけでは残留トナーを完全に除去することができない。また、この場合には、紙粉がクリーニングブレード７００のエッジに引掛かって中間転写ベルト４２６の表面に傷を付けるだけでなく、クリーニングブレード７００のエッジが多量の紙粉付着によって微少に欠けてしまい、クリーニング不良を生じる。しかし、本構成のようにブラシローラ６００をクリーニングブレード７００の下流に設ければ、クリーニングブレード７００の機能損失を未然にカバーすることができる。
【００７２】
図５は、上記構成のブラシローラ６００が、中間転写ベルト４２６の移動方向（回転方向）に沿って、クリーニングブレード７００の両側（転写ローラ４４６ｂとクリーニングブレード７００との間およびベルトコロナ放電器４５０とクリーニングブレード７００との間）にそれぞれ設けられた状態を示している。なお、図では、分かり易いように、２つのブラシローラがそれぞれ６００Ａ，６００Ｂとして区別して示されている。
【００７３】
実際にこの設定で、クリーニングブレード７００よりも上流側に配置されたブラシローラ６００Ａに２００Ｖのバイアス電圧を印加し、かつ、クリーニングブレード７００よりも下流側に配置されたブラシローラ６００Ｂにブラシローラ６００Ａと同極性の＋２００Ｖのバイアス電圧を印加したところ、中間転写ベルト４２６上の紙粉が完全に除去され、さらに、中間転写ベルト４２６上の転写残トナーも完全に取り去ることができた。そして、クリーニング不良が全く発生しなくなった。
【００７４】
また、図５の配置設定で、クリーニングブレード７００よりも上流側に配置されたブラシローラ６００Ａに２００Ｖのバイアス電圧を印加し、かつ、クリーニングブレード７００よりも下流側に配置されたブラシローラ６００Ｂにブラシローラ６００Ａと逆極性の−２００Ｖのバイアス電圧を印加したところ、中間転写ベルト４２６上のマイナスに帯電している紙粉や転写残トナー等がブラシローラ６００Ａとクリーニングブレード７００とによって完全に除去されるとともに、ブラシローラ６００Ａによってプラス電荷を帯びた中間転写ベルト４２６の表面がブラシローラ６００Ｂによって電気的にかつ強制的に中和され、中間転写ベルト４２６の表面がリフレッシュされた。その結果、次のトナー像の転写（ベルト転写）が良好に行なわれ、常に良好な画質が得られた。
【００７５】
なお、クリーニングブレード７００よりも下流側に配置されたブラシローラ６００Ｂに、ブラシローラ６００Ａと同極性または逆極性のバイアス電圧を選択的に印加させるために、図５の構成では、電源の＋端子Ａと−端子Ｂのいずれかにブラシローラ６００Ｂを電気的に接続させる切換スイッチ６０５が設けられている。
【００７６】
以上説明してきた実施形態は、中間転写体として中間転写ベルト４２６を備える画像形成装置に関するものであったが、トナー像を像担持体から中間転写体を介すことなく、直接に転写材に転写する画像形成装置においても本実施形態を適用できることは言うまでもない。
【００７７】
トナー像を像担持体から直接に転写材に転写する画像形成装置では、例えば像担持体としてのドラム状の感光体（図１の感光体４０２に相当する）によく知られる静電写真法によりトナー像が形成され、このトナー像が、転写材（記録紙）の背面からコロナ放電器でコロナ放電を行なうことにより、記録紙に転写される。そして、トナー像が記録紙に転写された後に、感光体は感光体クリーニングユニット（図１のクリーニングユニット４１４に相当する）によってクリーニングされる。
【００７８】
なお、このように中間転写体を使用しないタイプの静電画像形成装置においても、フルカラー画像の形成に際しては、感光体クリーニングユニットをトナー像通過の度に感光体から離間させるようにして、感光体上に順次にカラー像を重ねていき、重ね転写像を作成することができる。そして、記録紙にフルカラートナー像が一括転写された後、感光体クリーニングユニットが感光体に接触されて、感光体がクリーニングされる。
【００７９】
このように、トナー像を感光体から直接に転写材に転写する画像形成装置では、感光体が記録紙と接触され、感光体の表面に記録紙から発生した紙粉（紙繊維）が付着する。したがって、感光体の表面上の紙粉（紙繊維）が感光体クリーニングユニットのクリーニングブレードのエッジに引掛かった状態で付着し、縦筋を有する異常画像を誘発したり、転写不良を引き起こしたりする。そこで、感光体の表面に接触するように上記構成のブラシローラ６００を前述した様々な態様で配置すれば、異常画像や転写不良といった問題が解消され、前述したと同様の作用効果を得ることができる。
【００８０】
なお、本発明は上記実施形態に限定されず、その要旨を逸脱しない範囲で種々変形実施できることは言うまでもない。
【図面の簡単な説明】
【００８１】
【図１】本発明の実施に適する画像形成装置の基本構成を示す図である。
【図２】図１の画像形成装置における中間転写ベルト周辺の構成を詳細に示す拡大図である。
【図３】本発明の要部である紙粉除去手段の第１の実施形態を示す図である。
【図４】図３の紙粉除去手段を図１の画像形成装置に適用した例を示す図である。
【図５】本発明の要部である紙粉除去手段の第２の実施形態を示す図である。
【符号の説明】
【００８２】
１００  画像形成装置
４０２  感光体（像担持体）
４２６  中間転写ベルト（中間転写体）
４５４  ベルトコロナ放電器（転写手段）
６００  ブラシロール（紙粉除去手段）
７００  クリーニングブレード（クリーニング手段）
【図１】
2006184930.tif 000003
【図２】
2006184930.tif 000004
【図３】
2006184930.tif 000005
【図４】
2006184930.tif 000006
【図５】
2006184930.tif 000007
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
静電潜像がその表面に形成される像担持体と、
像担持体上にトナー像を形成する現像手段と、
像担持体に形成されたトナー像を転写材へ転写する転写手段と、
転写手段による転写後に像担持体上に残留するトナーを除去するクリーニング手段と、
前記クリーニング手段の像担持体移動方向上流側に配置され、転写材から発生して像担持体に付着した紙粉を除去する紙粉除去手段と、
前記クリーニング手段の像担持体移動方向下流側に配置され、像担持体上の電荷を除去する像担持体除電手段と、を具備することを特徴とする画像形成装置。
【請求項２】
静電潜像がその表面に形成される像担持体と、
像担持体上にトナー像を形成する現像手段と、
像担持体上のトナー像が転写される中間転写体と、
中間転写体に転写されたトナー像を転写材へ転写する転写手段と、
転写手段による転写後に中間転写体に残留するトナーを除去するクリーニング手段と、
前記クリーニング手段の中間転写体移動方向上流側に配置され、転写材から発生して中間転写体に付着した紙粉を除去する紙粉除去手段と、 
前記クリーニング手段の中間転写体移動方向下流側に配置され、中間転写体上の電荷を除去する中間転写体除電手段と、を具備することを特徴とする画像形成装置。
【請求項３】
請求項１又は２記載の画像形成装置において、
前記紙粉除去手段は、正極性のバイアス電圧を印加することにより紙粉を除去することを特徴とする画像形成装置。
【請求項４】
請求項１記載の画像形成装置において、
前記像担持体除電手段は、負極性のバイアス電圧を印加することにより像担持体の表面電荷を除去することを特徴とする画像形成装置。
【請求項５】
請求項２記載の画像形成装置において、
前記中間転写体除電手段は、負極性のバイアス電圧を印加することにより中間転写体の表面電荷を除去することを特徴とする画像形成装置。
【請求項６】
請求項４又は５記載の画像形成装置において、
前記紙粉除去手段は、正極性のバイアス電圧を印加することにより紙粉を除去することを特徴とする画像形成装置。
【手続補正２】
【補正対象書類名】明細書
【補正対象項目名】００１１
【補正方法】変更
【補正の内容】
【００１１】
前記課題を解決するために、請求項１に記載の発明は、静電潜像がその表面に形成される像担持体と、像担持体上にトナー像を形成する現像手段と、像担持体に形成されたトナー像を転写材へ転写する転写手段と、転写手段による転写後に像担持体上に残留するトナーを除去するクリーニング手段と、前記クリーニング手段の像担持体移動方向上流側に配置され、転写材から発生して像担持体に付着した紙粉を除去する紙粉除去手段と、前記クリーニング手段の像担持体移動方向下流側に配置され、像担持体上の電荷を除去する像担持体除電手段と、を具備している。
【手続補正３】
【補正対象書類名】明細書
【補正対象項目名】００１３
【補正方法】変更
【補正の内容】
【００１３】
請求項２に記載の発明は、静電潜像がその表面に形成される像担持体と、像担持体上にトナー像を形成する現像手段と、像担持体上のトナー像が転写される中間転写体と、中間転写体に転写されたトナー像を転写材へ転写する転写手段と、転写手段による転写後に中間転写体に残留するトナーを除去するクリーニング手段と、前記クリーニング手段の中間転写体移動方向上流側に配置され、転写材から発生して中間転写体に付着した紙粉を除去する紙粉除去手段と、前記クリーニング手段の中間転写体移動方向下流側に配置され、中間転写体上の電荷を除去する中間転写体除電手段とを具備している。
【手続補正４】
【補正対象書類名】明細書
【補正対象項目名】００１５
【補正方法】変更
【補正の内容】
【００１５】
請求項３に記載の発明は、請求項１又は２記載の画像形成装置において、前記紙粉除去手段は、正極性のバイアス電圧を印加することにより紙粉を除去することを特徴とする。
【手続補正５】
【補正対象書類名】明細書
【補正対象項目名】００１６
【補正方法】変更
【補正の内容】
【００１６】
この請求項３に記載の発明では、簡単かつ軽量な構成で、像担持体もしくは中間転写体上に残留付着している紙粉等が除去される。
【手続補正６】
【補正対象書類名】明細書
【補正対象項目名】００１７
【補正方法】変更
【補正の内容】
【００１７】
請求項４に記載の発明は、請求項１記載の画像形成装置において、前記像担持体除電手段は、負極性のバイアス電圧を印加することにより像担持体の表面電荷を除去することを特徴とする。
【手続補正７】
【補正対象書類名】明細書
【補正対象項目名】００１８
【補正方法】変更
【補正の内容】
【００１８】
この請求項４に記載の発明では、簡単かつ軽量な構成で、像担持体の表面電荷が容易に除去される。
【手続補正８】
【補正対象書類名】明細書
【補正対象項目名】００１９
【補正方法】変更
【補正の内容】
【００１９】
請求項５に記載の発明は、請求項２記載の画像形成装置において、前記中間転写体除電手段は、負極性のバイアス電圧を印加することにより中間転写体の表面電荷を除去することを特徴とする。
【手続補正９】
【補正対象書類名】明細書
【補正対象項目名】００２０
【補正方法】変更
【補正の内容】
【００２０】
この請求項５に記載の発明では、簡単かつ軽量な構成で、中間転写体の表面電荷が容易に除去される。
【手続補正１０】
【補正対象書類名】明細書
【補正対象項目名】００２１
【補正方法】変更
【補正の内容】
【００２１】
請求項６に記載の発明は、請求項４又は５記載の画像形成装置において、前記紙粉除去手段は、正極性のバイアス電圧を印加することにより紙粉を除去することを特徴とする。
【手続補正１１】
【補正対象書類名】明細書
【補正対象項目名】００２２
【補正方法】変更
【補正の内容】
【００２２】
この請求項６に記載の発明では、簡単かつ軽量な構成で、像担持体もしくは中間転写体の表面電荷を容易に除去できるとともに像担持体もしくは中間転写体上に残留付着している紙粉等が除去される。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００３１
【補正方法】変更
【補正の内容】
【００３１】
この請求項３に記載の発明では、簡単かつ軽量な構成で、像担持体もしくは中間転写体上に残留付着している紙粉等を除去することができる。
【手続補正１９】
【補正対象書類名】明細書
【補正対象項目名】００３２
【補正方法】変更
【補正の内容】
【００３２】
この請求項４に記載の発明では、簡単かつ軽量な構成で、像担持体の表面電荷を容易に除去することができる。
【手続補正２０】
【補正対象書類名】明細書
【補正対象項目名】００３３
【補正方法】変更
【補正の内容】
【００３３】
この請求項５に記載の発明では、簡単かつ軽量な構成で、中間転写体の表面電荷を容易に除去することができる。
【手続補正２１】
【補正対象書類名】明細書
【補正対象項目名】００３４
【補正方法】変更
【補正の内容】
【００３４】
この請求項６に記載の発明では、簡単かつ軽量な構成で、像担持体もしくは中間転写体の表面電荷を容易に除去できるとともに像担持体もしくは中間転写体上に残留付着している紙粉等を除去することができる。
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】